(57)【特許請求の範囲】
【請求項１】
識別情報と器具情報とを有するとともに所定の問合せ信号を受信すると応答信号を出力する複数の照明器具の電源ケーブルがそれぞれ接続される第１の差込口を有し、且つ、少なくとも一つは前記照明器具の通信ケーブルが接続される第２の差込口を有する複数の接続部と、
前記複数の接続部の前記第１の差込口にそれぞれ対応して設けられ、その対応する前記第１の差込口に接続された前記照明器具の電源ケーブルに流れる電流を計測する複数の電流計測部と、
前記照明器具に対して個別に点灯を制御する制御信号を前記第２の差込口に配信するノードと、
前記電流が計測された前記電流計測部の情報から、その前記電流計測部に対応する前記第１の差込口に前記電源ケーブルが接続された前記照明器具の位置情報を検出する位置検出部と、
を具備し、
前記複数の照明器具のうち少なくとも１台は前記通信ケーブルを前記第２の差込口に接続し、他の前記照明器具は、前記第２の差込口に前記通信ケーブルを接続した前記照明器具に前記通信ケーブルを接続する、照明用バトン。
【請求項２】
前記問合せ信号の送信及び前記応答信号の受信を行う通信部と、
前記通信部で受信した前記応答信号から前記問合せ信号送信先の前記照明器具の前記識別情報と器具情報とを取得し、これらの前記識別情報及び器具情報と前記位置検出部で検出された前記照明器具の位置情報とを関連付けて記憶部に登録する制御部と、
をさらに具備する請求項１記載の照明用バトン。
【請求項３】
請求項１又は２に記載の照明用バトンと、
前記照明用バトンに接続された前記照明器具の調光を制御する調光卓と、
を具備する照明システム。
【請求項４】
請求項１に記載の照明用バトンと、
前記問合せ信号の送信及び前記応答信号の受信を行う通信部、及び、前記通信部で受信した前記応答信号から前記問合せ信号送信先の前記照明器具の前記識別情報と前記器具情報とを取得し、前記識別情報及び前記器具情報と前記位置検出部で検出された前記照明器具の位置情報とを関連付けて記憶部に登録する制御部を備えた制御装置と、
前記照明用バトンに接続された前記照明器具の調光を制御する調光卓と、
を具備する照明システム。
【請求項５】
識別情報と器具情報とを有するとともに所定の問合せ信号を受信すると応答信号を出力する複数の照明器具の電源ケーブルがそれぞれ接続される第１の差込口を有し、且つ、少なくとも一つは前記照明器具の通信ケーブルが接続される第２の差込口を有する複数の接続部と、前記複数の接続部の前記第１の差込口にそれぞれ対応して設けられ、その対応する前記第１の差込口に接続された前記照明器具の電源ケーブルに流れる電流を計測する複数の電流計測部と、前記照明器具に対して個別に点灯を制御する制御信号を前記第２の差込口に配信するノードと、前記電流が計測された前記電流計測部の情報から、その前記電流計測部に対応する前記第１の差込口に前記電源ケーブルが接続された前記照明器具の位置情報を検出する位置検出部と、を具備し、前記複数の照明器具のうち少なくとも１台は前記通信ケーブルを前記第２の差込口に接続し、他の前記照明器具は、前記第２の差込口に前記通信ケーブルを接続した前記照明器具に前記通信ケーブルを接続する照明用バトンと、
前記問合せ信号の送信及び前記応答信号の受信を行う通信部、及び、前記通信部で受信した前記応答信号から前記問合せ信号送信先の前記照明器具の前記識別情報と器具情報とを取得し、これらの前記識別情報及び器具情報と前記位置検出部で検出された前記照明器具の位置情報とを関連付けて記憶部に登録する制御部、を備え、前記照明用バトンに接続された前記照明器具の調光を制御する調光卓と、
を具備する照明システム。
【発明の詳細な説明】
【技術分野】
【０００１】
本発明の実施形態は、劇場、舞台、スタジオ等の照明システム及びこのシステムで用いられる照明用バトンに関する。
【背景技術】
【０００２】
劇場、舞台、スタジオなどの照明システムは、複数の照明器具が取り付けられる照明用バトンと、各照明器具の調光を指令する調光卓と、調光卓からの指令にしたがって照明器具を制御する制御装置とを含む。このような照明システムでは、各照明器具に対して出力される制御信号としてＤＭＸ信号が用いられることが多い。ＤＭＸ信号は、スタートビットとストップビットとに挟まれた８ビットからなるチャネルが５１２チャネルまで多重化された構成を１フレームとするデジタル信号であり、この５１２チャネルにおける所定の１チャネルが照明器具の１つの制御信号となる。照明器具にはスロット数と呼ばれる照明器具が使用する制御アドレスの数があり、複数のチャネルを１つの照明器具が使用する場合がある。
【０００３】
一方、調光卓と制御装置との間は、通常、イーサネット（登録商標）プロトコルを使用したＬＡＮ（Local Area Network）で接続される。このため、制御装置と照明器具との間には、イーサネットプロトコルをＤＭＸ信号のプロトコルに変換するための変換部が必要となる。また、ＤＭＸ信号のプロトコルの拡張としては、双方向通信が可能なＲＤＭプロトコルが知られている。このため、この種の照明システムには、近年、イーサネットプロトコルとＲＭＸ、ＲＤＭプロトコルとの変換を行うプロトコル変換装置が用いられる。
【０００４】
この種のプロトコル変換装置は、一般に、ＤＭＸノードと称される。ＤＭＸノードは、照明用バトンに搭載されたり、その近傍に配置されたりする。ＤＭＸノードは、イーサネットプロトコルにしたがってデータ信号を送受信する第１の通信ポートと、ＤＭＸ、ＲＤＭプロトコルにしたがってＤＭＸ信号、ＲＤＭ信号を送受信する第２の通信ポートとを有する。ＤＭＸノードは、第２の通信ポートを複数備える。照明用バトンには、ＤＭＸノードの第２の通信ポートの数に相当するＤＭＸケーブルの差込口が設けられる。各差込口は、第２の通信ポートと１対１で接続される。
【０００５】
各差込口には、通信方式としてＲＤＭプロトコルに対応した照明器具がそれぞれ１台ずつ接続される。各差込口にそれぞれ接続された照明器具に関する情報は、制御装置によって認識される。このため、調光卓からの指令により照明器具の調光等が可能となる。
【先行技術文献】
【特許文献】
【０００６】
【特許文献１】特開２０１４‐１２０３５１号公報
【発明の概要】
【発明が解決しようとする課題】
【０００７】
劇場、舞台、スタジオなどの設備では、照明用バトンの差込口に各照明器具をそれぞれ並列的に接続するよりも、差込口に接続された照明器具に別の照明器具を直列的に接続した方が、照明効果が上がるような場合がある。しかしながら、従来の照明システムでは、照明用バトンの１つの差込口に直列的に接続した照明器具に関する情報は制御装置によって認識されるものの、どのような順序で接続されているかの情報を得られず、位置を検出することができない。このため、従来の照明用バトン及びこのバトンを用いた照明システムは、複数の照明器具を直列的に接続する、いわゆるカスケード接続には対応していない。
【０００８】
そこで本実施形態は、照明器具のカスケード接続に対応し得る照明システム及びこのシステムで用いられる照明用バトンを提供しようとするものである。
【課題を解決するための手段】
【０００９】
本実施形態の照明用バトンは、複数の接続部と、複数の電流計測部と、ノードと、位置検出部とを含む。複数の接続部は、識別情報と器具情報とを有するとともに所定の問合せ信号を受信すると応答信号を出力する複数の照明器具の電源ケーブルがそれぞれ接続される第１の差込口を有し、且つ、少なくとも一つは照明器具の通信ケーブルが接続される第２の差込口を有する。複数の電流計測部は、前記複数の接続部の第１の差込口にそれぞれ対応して設けられ、その対応する第１の差込口に接続された照明器具の電源ケーブルに流れる電流を計測する。ノードは、照明器具に対して個別に点灯を制御する制御信号を第２の差込口に配信する。位置検出部は、電流が計測された前記電流計測部の情報から、その電流計測部に対応する第１の差込口に電源ケーブルが接続された照明器具の位置情報を検出する。そして、複数の照明器具のうち少なくとも１台は通信ケーブルを第２の差込口に接続し、他の照明器具は、第２の差込口に通信ケーブルを接続した照明器具に通信ケーブルを接続する。
【００１０】
本実施形態の照明システムは、上記照明用バトンと、この照明用バトンに接続された照明器具の調光を制御する調光卓とを含む。
【発明の効果】
【００１１】
本実施形態によれば、照明器具のカスケード接続に対応し得る照明システム及びこのシステムで用いられる照明用バトンを提供することができる。
【図面の簡単な説明】
【００１２】
【図１】第１の実施形態に係る照明システムの全体構成を示すブロック図。
【図２】第１の実施形態に係るバトン制御部のハードウェア構成を示すブロック図。
【図３】第１の実施形態に係る照明器具テーブルのデータ構造を示す模式図。
【図４】第１の実施形態に係るバトン制御部のプロセッサが実行する情報処理の要部手順を示す流れ図。
【図５】第２の実施形態に係る照明用バトンの構成を示すブロック図。
【図６】第３の実施形態に係る照明システムの全体構成を示すブロック図。
【図７】第３の実施形態に係るバトン制御部のハードウェア構成を示すブロック図。
【図８】第３の実施形態に係る照明器具テーブルのデータ構造を示す模式図。
【発明を実施するための形態】
【００１３】
本実施形態の照明用バトンは、複数の接続部と、複数の電流計測部と、位置検出部とを含む。複数の接続部は、識別情報と器具情報とを有するとともに所定の問合せ信号を受信すると応答信号を出力する複数の照明器具の電源ケーブルがそれぞれ接続される。複数の電流計測部は、前記複数の接続部にそれぞれ対応して設けられ、その対応する接続部に接続された照明器具に流れる電流を計測する。位置検出部は、電流が計測された前記電流計測部の情報から、その電流計測部に対応する接続部に接続された照明器具の位置情報を検出する。
本実施形態の照明システムは、上記照明用バトンと、この照明用バトンに接続された照明器具の調光を制御する調光卓とを含む。
【００１４】
以下、図面を参照して、本実施形態の照明用バトン及びこのバトンを用いた照明システムについて説明する。
【００１５】
（第１の実施形態）
はじめに、第１の実施形態について、図１〜図４を用いて説明する。  
図１は、第１の実施形態における照明システム１００の全体構成を示すブロック図である。照明システム１００は、調光卓１０と、ハブ２０と、複数系統（図では２系統）の照明用バトン３０−１，３０−２とを含む。調光卓１０に、ハブ２０を介して各照明用バトン３０−１，３０−２を並列に接続することで、照明システム１００が構築される。調光卓１０とハブ２０との間、及びハブ２０と各照明用バトン３０−１，３０−２との間は、イーサネットプロトコルを使用したＬＡＮ５１で接続される。
【００１６】
各系統の照明用バトン３０−１，３０−２は、同一構成である。このため、ここでは第１系統の照明用バトン３０−１（以下では、バトン３０と称する）について説明し、他の系統の照明用バトン３０−２については、説明を省略する。
【００１７】
バトン３０は、バトン制御部３１と、ＤＭＸノード３２と、表示器インターフェース３３と、位置検出部３４とを備える。またバトン３０は、照明器具の接続部３５と電流計測部３６とを備える。接続部３５と電流計測部３６とは１対１で対応しており、その数はＤＭＸノード３２の第２の通信ポートの数に対応する。本実施形態では、ＤＭＸノード３２の第２の通信ポートの数を“４”とする。このため、照明器具の接続部３５と電流計測部３６とは、それぞれ４つずつ設けられている。そこで以下では、接続部３５及び電流計測部３６について個々に説明する場合には符号３５，３６にＡ〜Ｄを付し、それ以外はＡ〜Ｄを付さない。
【００１８】
各接続部３５は、それぞれＤＭＸケーブルの差込口３５１と、電源ケーブルの差込口３５２と、表示器３５３とを含む。各差込口３５１は、それぞれＤＭＸノード３２の第２の通信ポートに、ＲＤＭプロトコルに対応した通信ケーブル３７によって接続される。各差込口３５２は、それぞれ電流計測部３６を介して外部の電源５０に、電源ライン３８によって接続される。表示器３５３は、例えば７セグメント表示器であり、インターフェース３３に、信号ライン３９によって接続される。
【００１９】
差込口３５１は、通信方式としてＲＭＸ、ＲＤＭプロトコルに対応した照明器具４０のＤＭＸケーブル４１を接続可能である。差込口３５２は、同照明器具４０の電源ケーブル４２を接続可能である。表示器３５３は、同照明器具４０のＤＭＸアドレスのスタートアドレスを表示可能である。
【００２０】
ＤＭＸアドレスは、照明器具４０を遠隔操作するために、各照明器具４０に対して一意に割り当てられるチャネル番号である。ＤＭＸアドレスは、スタートビットとストップビットとに挟まれた８ビットからなるチャネルが５１２チャネルまで多重化された構成を１フレームとするＤＭＸ信号の１つのチャネルを特定する番号に相当する。すなわち、ＤＭＸ信号のチャネル番号「１」はＤＭＸアドレス「１」を表し、チャネル番号「２」はＤＭＸアドレス「２」を表し、チャネル番号「５１２」はＤＭＸアドレス「５１２」を表す。
【００２１】
ＤＭＸアドレスが割り当てられた照明器具４０は、ＤＭＸ信号を受信した際にチャネルがいくつ到来したかをスタートビットの数でカウントする。そして、自らに設定されたＤＭＸアドレスの数までカウントすると、照明器具４０は、そのスタートビットからストップビットまでの８ビットデータをチャネルデータとして取り込む。例えばＤＭＸアドレス「１０」が設定された照明器具４０であれば、スタートビットの数を“１０”までカウントすると、その後のストップビットまでの８ビットデータを取り込む。因みに、ＤＭＸアドレスのスタートアドレスとは、照明器具４０が使用するＤＭＸアドレスの先頭アドレスである。
【００２２】
照明器具４０は、例えばＬＥＤを光源に用いたＬＥＤ照明器具である。照明器具４０は、バトン３０を介して入力される制御信号に応じて遠隔操作により点灯、消灯、調光等が可能である。制御信号は、チャネルデータに含まれる。すなわち照明器具４０は、自らに設定されたＤＭＸアドレスを基にＤＭＸ信号から取り込んだチャネルデータによって点灯、消灯、調光等を行う。
【００２３】
照明器具４０は、上記ＤＭＸアドレスの他、ＵＩＤ、スロット数、器具情報等を記憶するための記憶部を有する。ＵＩＤは、照明器具４０自体に予め設定される固有の識別情報である。スロット数は、照明器具が使用するＤＭＸアドレスの数を示す情報である。器具情報は、器具の種類、ワット数等の情報を含む。照明器具４０は、記憶部に記憶した情報を、ＤＭＸ、ＲＤＭプロトコルに従ってバトン３０に送信可能である。
【００２４】
なお、図１では、異なる系統のバトン３０−１，３０−２にそれぞれ設けられた接続部３５とその接続部３５に対応する照明器具４０とを区別するために、第１のバトン３０−１に設けられた接続部３５に対しては符号Ａ〜Ｄを付し、各接続部３５Ａ〜３５Ｄにそれぞれ対応する照明器具４０に対しても符号Ａ〜Ｄを付して表わす。同様に、第２のバトン３０−２に設けられた接続部３５に対しては符号Ｅ〜Ｈを付し、各接続部３５Ｅ〜３５Ｈにそれぞれ対応する照明器具４０に対しても符号Ｅ〜Ｈを付して表わす。
【００２５】
電流計測部３６は、電源ライン３８を流れる電流を計測する。このような電流計測部３６としては、例えばＺＣＴ（零相変流器）またはＣＴ（変流器）を用いることができる。
【００２６】
バトン制御部３１は、バトン３０の全体を制御するもので、図２に示すハードウェアを備える。すなわちバトン制御部３１は、プロセッサ３１１、プログラムメモリ３１２、データメモリ３１３、通信インターフェース３１４、通信部としてのノードインターフェース３１５、Ｉ／Ｏポート３１６及び受信回路３１７を備える。
【００２７】
プロセッサ３１１は、例えばＣＰＵ（Central Processing Unit）を主体とする。プロセッサ３１１は、プログラムに従って各部を制御することで、バトン３０の機能を実現させる。
【００２８】
プログラムメモリ３１２は、例えばＲＯＭ（Read Only Memory）を主体とする。プログラムメモリ３１２には、上記プロセッサ３１１が実行するプログラムが格納される。
【００２９】
データメモリ３１３は、例えばＲＡＭ（Random Access Memory）を主体とする。データメモリ３１３に対しては、バトン３０の機能に必要なデータの書込み及び読出しがプロセッサ３１１によって行われる。
【００３０】
通信インターフェース３１４には、各照明器具４０を遠隔操作するための調光卓１０が、ＬＡＮ５１及びハブ２０を介して接続される。通信インターフェース３１４は、調光卓１０との間でイーサネットプロトコルによる通信処理を実行する。
【００３１】
ノードインターフェース３１５には、ＤＭＸノード３２が接続される。ノードインターフェース３１５は、照明器具４０に対する信号をＤＭＸノード３２に出力する。照明器具４０に対する信号は、照明器具４０に対する問合せ信号、照明器具４０の点灯、消灯、調光等を指令する制御信号等を含む。ノードインターフェース３１５は、ＤＭＸノード３２からの信号を受信する。ＤＭＸノード３２からの信号は、上記問合せ信号に対する応答信号、照明器具４０のＤＭＸアドレスのスタートアドレス、スロット数、ＵＩＤ、器具情報等のデータ信号等を含む。Ｉ／Ｏポート３１６には、表示器インターフェース３３が接続される。Ｉ／Ｏポート３１６は、表示器インターフェース３３との間で、表示器３５３に対する表示データを送受信する。
【００３２】
受信回路３１７には、位置検出部３４が接続される。受信回路３１７は、位置検出部３４から出力される位置検出信号を受信する。位置検出信号については、後述する。
【００３３】
ＤＭＸノード３２は、イーサネットプロトコルをＤＭＸ、ＲＤＭ信号のプロトコルに変換するための変換部として機能する。具体的にはＤＭＸノード３２は、単一の第１の通信ポートと複数（本実施形態では４とする）の第２の通信ポートとを有する。第１の通信ポートは、バトン制御部３１と接続され、このバトン制御部３１との間で、イーサネットプロトコルにしたがってデータ信号を送受信する。第２の通信ポートは、それぞれ接続部３５の差込口３５１に接続され、各差込口３５１に接続される照明器具４０との間で、ＤＭＸ、ＲＤＭプロトコルにしたがってＤＭＸ信号を送受信する。ＤＭＸノード３２は、第１の通信ポートで受信したイーサネットプロトコルの信号をＤＭＸ、ＲＤＭプロトコルの信号に変換して第２の通信ポートから出力する。またＤＭＸノード３２は、第２の通信ポートで受信したＤＭＸ、ＲＤＭプロトコルの信号をイーサネットプロトコルの信号に変換して第１の通信ポートから出力する。
【００３４】
表示器インターフェース３３は、信号ライン３９を介して接続される複数（本実施形態では４とする）の表示器３５３に対して、それぞれ表示データを出力する。表示データは、主として、照明器具４０のＤＭＸアドレスのスタートアドレスを表す。
【００３５】
位置検出部３４は、各電流計測部３６でそれぞれ計測される電流信号を取り込む。位置検出部３４は、電流信号を計測した電流計測部３６の情報から、バトン３０に接続された照明器具４０の設置位置情報を検出する。位置検出部３４は、照明器具４０の設置位置情報をバトン制御部３１に通知する。
【００３６】
設置位置情報は、照明器具４０が設置されている位置を表す情報である。設置位置は、照明器具４０の電源ケーブル４２が接続されている接続部３５に対応した電流計測部３６の識別情報に対応付けられた情報によって表される。例えば図１のシステム例において、照明器具４０Ａの電源ケーブル４２は、接続部３５Ａの差込口３５２に接続されている。この場合、照明器具４０Ａの設置位置情報は、電流計測部３６Ａの識別情報に対応付けられた情報となる。同様に、照明器具４０Ｂの電源ケーブル４２は、接続部３５Ｂの差込口３５２に接続されているので、照明器具４０Ｂの設置位置情報は、電流計測部３６Ｂの識別情報に対応付けられた情報となる。各電流計測部３６の識別情報に対応付けられた情報は、位置検出部３４に設定されている。
【００３７】
かかる構成のバトン３０は、バトン制御部３１のデータメモリ３１３に、図３に示すデータ構造の照明器具テーブル６０を形成する。照明器具テーブル６０は、バトン３０に接続された照明器具４０毎に、制御に必要な情報を１レコードとして記憶するための領域を有する。制御に必要な情報は、図３に示すように、前述したＵＩＤ、器具情報、ＤＭＸアドレスのスタートアドレス、スロット数及び設置位置情報の各情報を含む。
【００３８】
照明器具テーブル６０は、調光卓１０からバトン制御部３１に対して更新コマンドが配信されると、バトン制御部３１により照明器具４０毎に制御に必要な情報が登録される。
【００３９】
なお、ユーザがバトン３０に照明器具４０を接続する際には、照明器具４０の電源ケーブル４２を接続部３５の差込口３５２に接続する。このため、バトン３０に接続可能な照明器具４０の台数は、接続部３５の数に制約される。ただし、照明器具４０のＤＭＸケーブル４１については、必ずしも全てを接続部３５の差込口３５１に接続する必要はない。例えば図１に示すように、一方のバトン３０（３０−１）について、ユーザは、照明器具４０ＡのＤＭＸケーブル４１を、その照明器具４０Ａの電源ケーブル４２が接続された接続部３５Ａの差込口３５１に接続する。しかし、照明器具４０ＢのＤＭＸケーブル４１について、ユーザは、照明器具４０Ａが備えるＤＭＸケーブルの差込口に接続し、その照明器具４０Ｂの電源ケーブル４２が接続された接続部３５Ｂの差込口３５１には接続しない。同様に、ユーザは、照明器具４０ＣのＤＭＸケーブル４１を、その照明器具４０Ｃの電源ケーブル４２が接続された接続部３５Ｃの差込口３５１に接続する。しかし、照明器具４０ＤのＤＭＸケーブル４１について、ユーザは、照明器具４０Ｃが備えるＤＭＸケーブルの差込口に接続し、その照明器具４０Ｄの電源ケーブル４２が接続された接続部３５Ｄの差込口３５１には接続しない。
【００４０】
他方のバトン３０（３０−２）について、ユーザは、照明器具４０ＥのＤＭＸケーブル４１を、その照明器具４０Ｅの電源ケーブル４２が接続された接続部３５Ｅの差込口３５１に接続する。またユーザは、照明器具４０ＦのＤＭＸケーブル４１を、その照明器具４０Ｆの電源ケーブル４２が接続された接続部３５Ｆの差込口３５１に接続する。しかし、照明器具４０ＧのＤＭＸケーブル４１について、ユーザは、照明器具４０Ｆが備えるＤＭＸケーブルの差込口に接続し、その照明器具４０Ｆの電源ケーブル４２が接続された接続部３５Ｆの差込口３５１には接続しない。同じく、照明器具４０ＨのＤＭＸケーブル４１について、ユーザは、照明器具４０Ｇが備えるＤＭＸケーブルの差込口に接続し、その照明器具４０Ｈの電源ケーブル４２が接続された接続部３５Ｈの差込口３５１には接続しない。
【００４１】
このように、照明システム１００においては、照明器具４０Ａと照明器具４０Ｂ、照明器具４０Ｃと照明器具４０Ｄ、あるいは照明器具４０Ｆと照明器具４０Ｇと照明器具４０Ｈというように、複数の照明器具４０を直列的に接続する、いわゆるカスケード接続を許容する。
【００４２】
さて、調光卓１０からバトン制御部３１に対して更新コマンドが配信されると、プロセッサ３１１は、図４の流れ図に示す手順の情報処理を開始する。この情報処理は、プログラムメモリ３１２に記憶されたプログラムに基づくものである。  
先ずプロセッサ３１１は、ステップＳ１として、バトン３０に接続された照明器具４０の情報を収集する。
【００４３】
具体的にはプロセッサ３１１は、ノードインターフェース３１５を介して照明器具４０の情報要求コマンドを送信する。この情報要求コマンドは、ノードインターフェース３１５からＤＭＸノード３２を経由して、バトン３０に接続された照明器具４０に送信される。その際、接続部３５に接続された照明器具４０Ａだけでなく、この照明器具４０Ａに対してカスケード接続された他の照明器具４０Ｂ，４０Ｃ，４０Ｄに対しても、情報要求コマンドは送信される。
【００４４】
情報要求コマンドを受信した照明器具４０の制御部は、記憶部に記憶したＵＩＤ、ＤＭＸアドレスのスタートアドレス、スロット数、器具情報を含む応答コマンドを返信する。この応答コマンドは、ＤＭＸノード３２を経由してバトン制御部３１に送信される。
【００４５】
バトン制御部３１のプロセッサ３１１は、応答コマンドを受信する毎に、その応答コマンドから照明器具４０のＵＩＤ、ＤＭＸアドレスのスタートアドレス、スロット数及び器具情報を抽出する。そしてプロセッサ３１１は、抽出したＵＩＤ、ＤＭＸアドレスのスタートアドレス、スロット数及び器具情報を照明器具テーブル６０に登録する。かくして、照明器具テーブル６０には、バトン３０に接続された各照明器具４０のＵＩＤ、ＤＭＸアドレスのスタートアドレス、スロット数及び器具情報が登録される。
【００４６】
次に、プロセッサ３１１は、ステップＳ２として、照明器具テーブル６０に登録されたＤＭＸアドレスのスタートアドレスが重複していないか確認する。ＤＭＸアドレスのスタートアドレスが重複していない場合、ＤＭＸアドレスのスタートアドレスの再設定は必要としない。しかし、複数の照明器具の間でＤＭＸアドレスのスタートアドレスが重複している場合には、ＤＭＸアドレスのスタートアドレスの再設定が必要となる。
【００４７】
プロセッサ３１１は、ステップＳ３としてＤＭＸアドレスのスタートアドレスの再設定が必要か否かを判定する。再設定が必要な場合（Ｓ３でＹＥＳ）、プロセッサ３１１は、ステップＳ４としてＤＭＸアドレスが重複しないようにＤＭＸアドレスのスタートアドレスの再設定を行う。
【００４８】
例えばプロセッサ３１１は、先ず、照明器具テーブル６０に登録されたデータレコードについて、スロット数を踏まえた上で、ＵＩＤの昇順に一意のＤＭＸアドレス“１”，“２”，“３”，…を順番に割り当てる。このケースでは、すべての照明器具４０のスロット数は１である。仮に、すべての照明器具４０のスロット数が５であるならば、ＵＩＤの昇順に一意のＤＭＸアドレス“１”，“６”，“１１”，…を順番に割り当てる。次いでプロセッサ３１１は、照明器具テーブル６０から１つのＵＩＤとそのＵＩＤに割り当てられたＤＭＸアドレスのスタートアドレスとを選択する。そしてプロセッサ３１１は、ノードインターフェース３１５を介してそのＵＩＤとＤＭＸアドレスのスタートアドレスとを含む設定コマンドを送信する。この設定コマンドは、ノードインターフェース３１５からＤＭＸノード３２を経由して、各接続部３５に接続された照明器具４０に送信される。その際、接続部３５に接続された照明器具４０に対してカスケード接続された他の照明器具４０に対しても、設定コマンドは送信される。
【００４９】
設定コマンドを受信した照明器具４０の制御部は、コマンドに含まれるＵＩＤが記憶部に記憶するＵＩＤと一致するか確認する。一致しない場合、制御部は、設定コマンドを破棄する。一致する場合、制御部は、コマンドに含まれるＤＭＸアドレスのスタートアドレスを記憶部に上書き保存する。また制御部は、正常終了の応答コマンドを返信する。この応答コマンドは、ＤＭＸノード３２を経由してバトン制御部３１に送信される。バトン制御部３１のプロセッサ３１１は、応答コマンドを受信したならば、照明器具テーブル６０から次のＵＩＤとそのＵＩＤに割り当てられたＤＭＸアドレスのスタートアドレスとを選択する。そしてプロセッサ３１１は、そのＵＩＤとＤＭＸアドレスのスタートアドレスとを含む設定コマンドを送信する。以後、プロセッサ３１１は、照明器具テーブル６０に登録した最後のＵＩＤとＤＭＸアドレスのスタートアドレスとを含む設定コマンドを送信し、これに対する応答コマンドを受信するまで、同様の処理を繰り返し実行する。
【００５０】
こうして、ＤＭＸアドレスのスタートアドレスの再設定が行われるか、再設定の必要がない場合（Ｓ３でＮＯ）、プロセッサ３１１は、ステップＳ５として、照明器具４０の位置検出を行う。具体的にはプロセッサ３１１は、照明器具テーブル６０に登録されたＤＭＸアドレスのスタートアドレスのうちいずれか１つのアドレスが割り当てられた照明器具４０に対して点灯を制御する制御信号を生成する。そしてプロセッサ３１１は、この制御信号を、ノードインターフェース３１５を介して送信する。
【００５１】
この制御信号は、ＤＭＸノード３２で受信される。そして、ＤＭＸノード３２の作用により制御信号がＤＭＸ信号に変換されて、各照明器具４０に配信される。各照明器具４０の制御部は、ＤＭＸ信号から自らのＤＭＸアドレスに相当するチャネル番号のチャネルデータを検出する。そしてチャネルデータが点灯を制御するデータであるとき、制御部は、照明器具４０を点灯させる。したがって、照明システム１００では、バトン３０に接続された複数の照明器具４０のうち、いずれか１つの照明器具４０が点灯動作する。
【００５２】
点灯動作する照明器具４０に対しては、電源５０から電源ライン３８及び電源ケーブル４２を介して電流が流れる。したがって、点灯動作した照明器具４０の電源ケーブル４２が接続された差込口３５２に対応する電流計測部３６において、電流信号が計測される。その結果、位置検出部３４において、電流信号を計測した電流計測部３６の情報から、バトン３０に接続された照明器具４０の設置位置情報が検出される。そして、この設置位置情報がバトン制御部３１に通知される。
【００５３】
しかして、バトン制御部３１のプロセッサ３１１は、位置検出部３４から通知を受けた設置位置情報を照明器具テーブル６０に登録する。このとき、プロセッサ３１１は、点灯を制御した照明器具４０のＤＭＸアドレスのスタートアドレスに関連付けて設置位置情報を登録する。
【００５４】
プロセッサ３１１は、照明器具テーブル６０に登録された各ＤＭＸアドレスのスタートアドレスとスロット数とに基づいて個別に点灯を制御する制御信号を生成する。そしてプロセッサ３１１は、この制御信号をＤＭＸノード３２に送信して、位置検出部３４から通知を受けた設置位置情報を照明器具テーブル６０に登録する処理を繰り返し実行する。
【００５５】
プロセッサ３１１は、ステップＳ６として、設置位置情報の検出を終了したか否かを確認する。照明器具テーブル６０に保存された全てのレコードに設置位置情報が登録された場合、プロセッサ３１１は、設置位置情報の検出が終了したと判断する（Ｓ６でＹＥＳ）。プロセッサ３１１は、ステップＳ７として、各接続部３５の表示器３５３に対し、その接続部３５に対応した照明器具４０のＤＭＸアドレスのスタートアドレスを表示させる。具体的にはプロセッサ３１１は、照明器具テーブル６０に登録された設置位置情報で特定される電流計測部３６に対応した接続部３５の表示器３５３に、その設置位置情報に関連付けられたＤＭＸアドレスのスタートアドレスを表示させる。
【００５６】
例えば今、図１に示すように、一方のバトン３０（３０−１）について、接続部３５Ａの差込口３５２に照明器具４０Ａの電源ケーブル４２が接続され、接続部３５Ｂの差込口３５２に照明器具４０Ｂの電源ケーブル４２が接続され、接続部３５Ｃの差込口３５２に照明器具４０Ｃの電源ケーブル４２が接続され、接続部３５Ｄの差込口３５２に照明器具４０Ｄの電源ケーブル４２が接続されたとする。この場合において、照明器具４０ＡのＤＭＸケーブル４１は、接続部３５Ａの差込口３５１に接続されるが、照明器具４０ＢのＤＭＸケーブル４１は、照明器具４０Ａが備えるＤＭＸケーブルの差込口に接続される。同様に、照明器具４０ＣのＤＭＸケーブル４１は、接続部３５Ｃの差込口３５１に接続されるが、照明器具４０ＤのＤＭＸケーブル４１は、照明器具４０Ｃが備えるＤＭＸケーブルの差込口に接続される。
【００５７】
このように、照明器具４０Ａと照明器具４０Ｂ及び照明器具４０Ｃと照明器具４０Ｄがカスケード接続されていたとしても、バトン３０−１のバトン制御部３１では、照明器具４０Ａについては、当該照明器具４０Ａが点灯したときの電流を検出した電流計測部３６Ａの識別情報に対応付けられた情報が設置位置情報として照明器具テーブル６０に登録される。照明器具４０Ｂについては、当該照明器具４０Ｂが点灯したときの電流を検出した電流計測部３６Ｂの識別情報に対応付けられた情報が設置位置情報として照明器具テーブル６０に登録される。照明器具４０Ｃについては、当該照明器具４０Ｃが点灯したときの電流を検出した電流計測部３６Ｃの識別情報に対応付けられた情報が設置位置情報として照明器具テーブル６０に登録される。照明器具４０Ｄについては、当該照明器具４０Ｄが点灯したときの電流を検出した電流計測部３６Ｄの識別情報に対応付けられた情報が設置位置情報として照明器具テーブル６０に登録される。
【００５８】
すなわち、バトン３０−１に接続された全ての照明器具４０Ａ，４０Ｂ，４０Ｃ，４０ＤのＤＭＸアドレスのスタートアドレスに関連付けて、当該照明器具４０Ａ，４０Ｂ，４０Ｃ，４０Ｄの設置位置情報が照明器具テーブル６０に登録される。
【００５９】
したがって、調光卓１０からバトン制御部３１に照明器具４０の設置位置情報を問い合わせて、バトン制御部３１により照明器具４０の設置位置情報の応答を調光卓１０が受け取ることで、照明システム１００によれば、調光卓１０の操作により、照明器具４０の設置位置情報を把握した上でバトン３０−１に接続された各照明器具４０Ａ，４０Ｂ，４０Ｃ，４０Ｅの調光を制御することができる。具体的には、調光卓１０が前もって取得した照明器具４０のＵＩＤを元に、バトン制御部３１に照明器具４０の設置位置情報を問い合わせる。そして、バトン制御部３１は、照明器具テーブル６０を参照し、ＵＩＤに対応した設置位置情報を抽出し、設置位置情報を調光卓１０に送付する。かくして、調光卓１０は前もって取得した照明器具４０のＵＩＤを元に、照明器具４０の設置位置情報を取得することができる。このため、調光卓１０の操作により、照明器具４０の設置位置情報を把握した上でバトン３０−１に接続された各照明器具４０Ａ，４０Ｂ，４０Ｃ，４０Ｅの調光を制御することができる。
【００６０】
このような作用効果は、他方のバトン３０（３０−２）３０−２についても同様である。すなわち他方のバトン３０−２では、接続部３５Ｅの差込口３５２に照明器具４０Ｅの電源ケーブル４２が接続され、接続部３５Ｆの差込口３５２に照明器具４０Ｆの電源ケーブル４２が接続され、接続部３５Ｇの差込口３５２に照明器具４０Ｇの電源ケーブル４２が接続され、接続部３５Ｈの差込口３５２に照明器具４０Ｈの電源ケーブル４２が接続されている。また、照明器具４０ＥのＤＭＸケーブル４１は、接続部３５Ｅの差込口３５１に接続され、照明器具４０ＦのＤＭＸケーブル４１は、接続部３５Ｆの差込口３５１に接続される。しかし、照明器具４０ＧのＤＭＸケーブル４１は、照明器具４０Ｆが備えるＤＭＸケーブルの差込口に接続され、照明器具４０ＨのＤＭＸケーブル４１は、照明器具４０Ｇが備えるＤＭＸケーブルの差込口に接続される。
【００６１】
このように、照明器具４０Ｆと照明器具４０Ｇと照明器具４０Ｈとがカスケード接続されていたとしても、バトン３０−２のバトン制御部３１では、照明器具４０Ｅについては、当該照明器具４０Ｅが点灯したときの電流を検出した電流計測部３６Ｅ（不図示）の識別情報に対応付けられた情報が設置位置情報として照明器具テーブル６０に登録される。照明器具４０Ｆについては、当該照明器具４０Ｅが点灯したときの電流を検出した電流計測部３６Ｆ（不図示）の識別情報に対応付けられた情報が設置位置情報として照明器具テーブル６０に登録される。照明器具４０Ｇについては、当該照明器具４０Ｇが点灯したときの電流を検出した電流計測部３６Ｇ（不図示）の識別情報に対応付けられた情報が設置位置情報として照明器具テーブル６０に登録される。照明器具４０Ｈについては、当該照明器具４０Ｈが点灯したときの電流を検出した電流計測部３６Ｈ（不図示）の識別情報に対応付けられた情報が設置位置情報として照明器具テーブル６０に登録される。
【００６２】
すなわち、バトン３０−２に接続された全ての照明器具４０Ｅ，４０Ｆ，４０Ｇ，４０ＨのＤＭＸアドレスに関連付けて、当該照明器具４０Ｅ，４０Ｆ，４０Ｇ，４０Ｈの設置位置情報が設定される。
【００６３】
したがって、照明システム１００によれば、調光卓１０からバトン制御部３１に照明器具４０の設置位置情報を問い合わせて、バトン制御部３１により照明器具４０の設置位置情報の応答を調光卓１０が受け取ることで、調光卓１０の操作により、照明器具４０の設置位置情報を把握した上でバトン３０−２に接続された各照明器具４０Ｅ，４０Ｆ，４０Ｇ，４０Ｈの調光を制御することができる。具体的には、調光卓１０が前もって取得した照明器具４０のＵＩＤを元に、バトン制御部３１に照明器具４０の設置位置情報を問い合わせる。そして、バトン制御部３１は、照明器具テーブル６０を参照し、ＵＩＤに対応した設置位置情報を抽出し、設置位置情報を調光卓１０に送付する。かくして、調光卓１０は前もって取得した照明器具４０のＵＩＤを元に、照明器具４０の設置位置情報を取得することができる。このため、調光卓１０の操作により、照明器具４０の設置位置情報を把握した上でバトン３０−２に接続された各照明器具４０Ｅ，４０Ｆ，４０Ｇ，４０Ｈの調光を制御することができる。
【００６４】
かくして本実施形態によれば、照明器具のカスケード接続に対応し得る照明システム１００及びこのシステム１００で用いられる照明用バトン３０を提供することができる。
【００６５】
（第２の実施形態）
次に、第２の実施形態について、図５を用いて説明する。  
なお、第１の実施形態と共通する部分には同一符号を付し、その詳しい説明は省略する。
【００６６】
図５は、第２の実施形態におけるバトン３００の構成を示すブロック図である。バトン３００は、バトン制御部３１と、ＤＭＸノード３２と、表示器インターフェース３３と、位置検出部３４とを備える。またバトン３００は、照明器具が接続される第１の接続部３５と第２の接続部４５とを備える。さらにバトン３００は、電流計測部３６を備える。
【００６７】
第１の接続部３５と第２の接続部４５との数は、ＤＭＸノード３２の第２の通信ポートの数に対応する。本実施形態では、ＤＭＸノード３２の第２の通信ポートの数を“４”とする。このため、第１の接続部３５と第２の接続部４５とは、それぞれ４つずつ設けられている。そこで以下では、第１の接続部３５と第２の接続部４５について個々に説明する場合には符号３５，４５にＡ〜Ｄを付し、それ以外はＡ〜Ｄを付さない。また、電流計測部３６の数は第１の接続部３５と第２の接続部４５とを合計した数に相当する。そこで以下では、第１の接続部３５Ａ〜３５Ｄにそれぞれ対応する電流計測部３６について個々に説明する場合には符号３６にＡ，Ｃ，Ｅ，Ｇを付す。また、第２の接続部４５Ａ〜４５Ｄにそれぞれ対応する電流計測部３６について個々に説明する場合には符号３６にＢ，Ｄ，Ｆ，Ｈを付す。それ以外はＡ〜Ｈを付さない。
【００６８】
第１の接続部３５は、それぞれＤＭＸケーブルの差込口３５１と、電源ケーブルの差込口３５２と、表示器３５３とを含む。各差込口３５１は、それぞれＤＭＸノード３２の第２の通信ポートに、ＲＤＭプロトコルに対応したＤＭＸケーブル３７によって接続される。各差込口３５２は、それぞれ電流計測部３６Ａ，３６Ｃ，３６Ｅ，３６Ｇを介して外部の電源５０に、電源ライン３８によって接続される。表示器３５３は、例えば７セグメント表示器であり、表示器インターフェース３３に、信号ライン３９によって接続される。
【００６９】
第２の接続部４５は、それぞれ電源ケーブルの差込口３５２と、表示器３５３とを含む。各差込口３５２は、それぞれ電流計測部３６Ｂ，３６Ｄ，３６Ｆ，３６Ｈを介して外部の電源５０に、電源ライン３８によって接続される。表示器３５３は、例えば７セグメント表示器であり、表示器インターフェース３３に、信号ライン３９によって接続される。
【００７０】
第１の接続部３５において、差込口３５１は、通信方式としてＲＤＭプロトコルに対応した照明器具４０のＤＭＸケーブル４１を接続可能である。第１及び第２の接続部３５，４５において、差込口３５２は、同照明器具４０の電源ケーブル４２を接続可能である。表示器３５３は、同照明器具４０のＤＭＸアドレスのスタートアドレスを表示可能である。
【００７１】
かかる構成のバトン３００においては、図５に示すように、第１の接続部３５Ａ，３５Ｂ，３５Ｃ，３５Ｄに対しては、照明器具４０Ａ，４０Ｃ，４０Ｅ，４０ＧのＤＭＸケーブル４１と電源ケーブル４２とをそれぞれ差込口３５１，３５２に接続する。第２の接続部４５Ａ，４５Ｂ，４５Ｃ，４５Ｄに対しては、照明器具４０Ｂ，４０Ｄ，４０Ｆ，４０Ｈの電源ケーブル４２を差込口３５２に接続する。照明器具４０Ｂ，４０Ｄ，４０Ｆ，４０ＨのＤＭＸケーブル４１は、第１の接続部３５に接続された別の照明器具４０Ａ，４０Ｃ，４０Ｅ，４０Ｇが備えるＤＭＸケーブルの差込口に接続する。すなわち図５において、照明器具４０Ａと照明器具４０Ｂ、照明器具４０Ｃと照明器具４０Ｄ、照明器具４０Ｅと照明器具４０Ｆ、および照明器具４０Ｇと照明器具４０Ｈとが、それぞれカスケード接続される。
【００７２】
さて、この第２の実施形態においても、調光卓１０からバトン制御部３１に対して更新コマンドが配信されると、プロセッサ３１１は、図４の流れ図に示す手順の情報処理を開始する。この処理により、バトン制御部３１では、各照明器具４０Ａ〜４０ＨのＵＩＤ及び器具情報と、各照明器具４０Ａ〜４０Ｈに対して重複しないように割り当てられた一意のＤＭＸアドレスのスタートアドレスと、その照明器具４０Ａ〜４０Ｈを点灯させた際に流れた電流を計測した電流計測部３６Ａ〜３６Ｈの情報から位置検出部３４で検出された設置位置情報とが登録された照明器具テーブル６０が作成される。
【００７３】
したがって、第２の実施形態においても、バトン３００に接続された全ての照明器具４０Ａ〜４０ＨのＤＭＸアドレスのスタートアドレスに関連付けて、当該照明器具４０Ａ〜４０Ｈの設置位置情報が設定されるので、調光卓１０の操作により、バトン３００に接続された各照明器具４０Ａ〜４０Ｈの調光を制御することができる。
【００７４】
このように第２の実施形態においても、照明器具４０のカスケード接続に対応し得る照明システム１００及びこのシステム１００で用いられるバトン３００を提供することができる。しかも、そのバトン３００に対して接続可能な照明器具４０の台数は、ＤＭＸノード３２の第２の通信ポートの数に制約される第１の接続部３５の数に、ＤＭＸノード３２の第２の通信ポートの数に制約されない第２の接続部４５の数を加えた数となる。したがって、ＤＭＸノード３２の第２の通信ポートの数を超える照明器具４０を接続できるので、照明効果をより一層高めることができる。
【００７５】
なお、バトン３００においては、第１の接続部３５と第２の接続部４５の数を同数としたが、同数である必要はない。例えば第１の接続部３５に対して第２の接続部４５の数を整数倍としてもよい。また、必ずしも整数倍である必要はなく、少なくとも第２の接続部４５が１以上備えられていれば、ＤＭＸノード３２の第２の通信ポートの数を超える照明器具４０を接続できるという作用効果を奏し得る。
【００７６】
（第３の実施形態）
次に、第３の実施形態について、図６〜図８を用いて説明する。  
なお、第１の実施形態と共通する部分には同一符号を付し、その詳しい説明は省略する。
【００７７】
図６は、第３の実施形態における照明システム２００の全体構成を示すブロック図である。照明システム２００は、調光卓１０と、ハブ２０と、制御装置としての全体制御部７０と、ＤＭＸノード３２と、複数系統（図では４系統）の照明用バトン３０１−１，３０１−２，３０１−３，３０１−４（ただし、照明用バトン３０１−３及び３０１−４は図示せず）とを含む。調光卓１０に、ハブ２０を介して各照明用バトン３０１−１，３０１−２，３０１−３，３０１−４を並列に接続するとともに、調光卓１０に、ハブ２０を介して全体制御部７０を接続し、さらに全体制御部７０にＤＭＸノード３２を接続することで、照明システム２００が構築される。調光卓１０とハブ２０との間、ハブ２０と各照明用バトン３０１−１，３０１−２，３０１−３，３０１−４との間、ハブ２０と全体制御部７０との間、及び全体制御部７０とＤＭＸノード３２との間は、イーサネットプロトコルを使用したＬＡＮ５１で接続される。
【００７８】
各系統の照明用バトン３０１−１，３０１−２，３０１−３，３０１−４は、同一構成である。このため、ここでは第１系統の照明用バトン３０１−１（以下では、バトン３０１と称する）について説明し、他の系統の照明用バトン３０１−２〜３０１−４については、説明を省略する。
【００７９】
バトン３０１は、バトン制御部３１と、表示器インターフェース３３と、位置検出部３４とを備える。またバトン３０１は、照明器具の接続部５５と電流計測部３６とを備える。接続部５５と電流計測部３６とは１対１で対応しており、その数は任意である。本実施形態では、接続部５５と電流計測部３６との数を“４”とする。そこで以下では、接続部５５及び電流計測部３６について個々に説明する場合には符号５５，３６にＡ〜Ｄを付し、個々を集約して説明する場合にはＡ〜Ｄを付さない。
【００８０】
各接続部５５は、それぞれ電源ケーブルの差込口３５２と、表示器３５３とを含む。各差込口３５２は、それぞれ電流計測部３６を介して外部の電源５０に、電源ライン３８によって接続される。表示器３５３は、例えば７セグメント表示器であり、表示器インターフェース３３に、信号ライン３９によって接続される。差込口３５２は、通信方式としてＲＤＭプロトコルに対応した照明器具４０の電源ケーブル４２を接続可能である。表示器３５３は、同照明器具４０のＤＭＸアドレスのスタートアドレスを表示可能である。
【００８１】
なお、図６では、異なる系統のバトン３０１−１，３０１−２にそれぞれ設けられた接続部５５とその接続部５５に対応する照明器具４０とを区別するために、第１のバトン３０１−１に設けられた接続部５５に対しては符号Ａ〜Ｄを付し、各接続部５５Ａ〜５５Ｄにそれぞれ対応する照明器具４０に対しても符号Ａ〜Ｄを付して表わす。同様に、第２のバトン３０１−２に設けられた接続部５５に対しては符号Ｅ〜Ｈを付し、各接続部５５Ｅ〜５５Ｈにそれぞれ対応する照明器具４０対しても符号Ｅ〜Ｈを付して表わす。
【００８２】
全体制御部７０は、照明システム２００の全体を制御するもので、図７に示すハードウェアを備える。すなわち全体制御部７０は、プロセッサ７０１、プログラムメモリ７０２、データメモリ７０３、通信インターフェース７０４及び通信部としてのノードインターフェース７０５を備える。
【００８３】
プロセッサ７０１は、例えばＣＰＵを主体とする。プロセッサ７０１は、プログラムに従って各部を制御することで、照明システム２００の機能を実現させる。
【００８４】
プログラムメモリ７０２は、例えばＲＯＭを主体とする。プログラムメモリ７０２は、上記プロセッサ７０１が実行するプログラムが格納される。
【００８５】
データメモリ７０３は、例えばＲＡＭを主体とする。データメモリ７０３に対しては、照明システム２００の機能に必要なデータの書込み及び読出しがプロセッサ７０１によって行われる。
【００８６】
通信インターフェース７０４には、各照明器具４０を遠隔操作するための調光卓１０が、ＬＡＮ５１及びハブ２０を介して接続される。通信インターフェース７０４は、調光卓１０との間でイーサネットプロトコルによる通信処理を実行する。
【００８７】
ノードインターフェース７０５には、ＤＭＸノード３２が接続される。ノードインターフェース７０５は、照明器具４０に対する信号をＤＭＸノード３２に出力する。照明器具４０に対する信号は、照明器具４０に対する問合せ信号、照明器具４０の点灯、消灯、調光等を指令する制御信号等を含む。またノードインターフェース７０５は、ＤＭＸノード３２からの信号を受信する。ＤＭＸノード３２からの信号は、照明器具４０からの応答信号、照明器具４０のＤＭＸアドレスのスタートアドレス、スロット数、ＵＩＤ、器具情報等のデータ信号等を含む。
【００８８】
かかる構成の照明システム２００は、全体制御部７０のデータメモリ７０３に、図８に示すデータ構造の照明器具テーブル８０を形成する。照明器具テーブル８０は、バトン３０１に接続された照明器具４０毎に、制御に必要な情報を１レコードとして記憶するための領域を有する。制御に必要な情報は、図８に示すように、ＵＩＤ、器具情報、ＤＭＸアドレスのスタートアドレス、スロット数、バトンＩＤ及び設置位置情報の各情報を含む。
【００８９】
バトンＩＤは、各系統のバトン３０１（３０１−１、３０１−２，３０１−３，３０１−４）に対して割り当てられた固有の識別情報であり、バトン制御部３１の不揮発性メモリ（例えばプログラムメモリ３１２）に予め設定されている。
【００９０】
照明器具テーブル８０は、調光卓１０から全体制御部７０に対して更新コマンドが配信されると、全体制御部７０により照明器具４０毎に制御に必要な情報が登録される。
【００９１】
なお、ユーザがバトン３０１に照明器具４０を接続する際には、ユーザは、照明器具４０の電源ケーブル４２を接続部５５の差込口３５２に接続する。このため、１系統のバトン３０１に接続可能な照明器具４０の台数は、接続部５５の数に制約される。一方、１系統のバトン３０１に接続された照明器具４０のＤＭＸケーブル４１については、ユーザは先ず、いずれか１つの照明器具４０（図６では４０Ａ）のＤＭＸケーブル４１を、ＤＭＸノード３２の第２の通信ポートに接続する。次いでユーザは、この照明器具４０Ａが備えるＤＭＸケーブルの差込口に、次段の照明器具４０（図６では４０Ｂ）のＤＭＸケーブル４１を接続する。以後、ユーザは同様にして、照明器具４０Ｂが備えるＤＭＸケーブルの差込口に、次段の照明器具４０（図６では４０Ｃ）のＤＭＸケーブル４１を接続し、この照明器具４０Ｃが備えるＤＭＸケーブルの差込口に、次段の照明器具４０（図６では４０Ｄ）のＤＭＸケーブル４１を接続する。すなわちユーザは、照明器具４０Ａ，４０Ｂ，４０Ｃ，４０Ｄをカスケード接続する。
【００９２】
さて、調光卓１０から全体制御部７０に対して更新コマンドが配信されると、プロセッサ７０１は、図４の流れ図に示す手順の情報処理を開始する。この情報処理は、プログラムメモリ７０２に記憶されたプログラムに基づくものである。  
先ずプロセッサ７０１は、ステップＳ１として、各系統のバトン３０１にそれぞれ接続された照明器具４０の情報を収集する。
【００９３】
具体的にはプロセッサ７０１は、ノードインターフェース７０５を介して照明器具４０の情報要求コマンドを送信する。この情報要求コマンドは、ノードインターフェース７０５からＤＭＸノード３２を経由して、各バトン３０１に接続された照明器具４０に送信される。その際、ＤＭＸノード３２の第２の通信ポートに接続された照明器具４０Ａ，４０Ｅだけでなく、これらの照明器具４０Ａ，４０Ｅに対してカスケード接続された他の照明器具４０Ｂ，４０Ｃ，４０Ｄ，４０Ｆ，４０Ｇ，４０Ｈに対しても、情報要求コマンドは送信される。
【００９４】
情報要求コマンドを受信した照明器具４０の制御部は、第１の実施形態で説明したように、記憶部に記憶したＵＩＤ、ＤＭＸアドレスのスタートアドレス、スロット数、器具情報を含む応答コマンドを返信する。この応答コマンドは、ＤＭＸノード３２を経由して全体制御部７０に送信される。
【００９５】
全体制御部７０のプロセッサ７０１は、応答コマンドを受信する毎に、その応答コマンドから照明器具４０のＵＩＤ、ＤＭＸアドレスのスタートアドレス、スロット数及び器具情報を抽出する。そしてプロセッサ７０１は、抽出したＵＩＤ、ＤＭＸアドレスのスタートアドレス、スロット数及び器具情報を照明器具テーブル８０に登録する。かくして、照明器具テーブル８０には、各バトン３０にそれぞれ接続された各照明器具４０のＵＩＤ、ＤＭＸアドレスのスタートアドレス、スロット数及び器具情報が登録される。
【００９６】
次に、プロセッサ７０１は、第１の実施形態と同様にステップＳ２として、照明器具テーブル８０に登録されたＤＭＸアドレスのスタートアドレスが重複していないか確認する。そしてプロセッサ７０１は、ステップＳ３としてＤＭＸアドレスのスタートアドレスの再設定が必要か否かを判定する。再設定が必要な場合（Ｓ３でＹＥＳ）、プロセッサ７０１は、ステップＳ４としてＤＭＸアドレスが重複しないようにＤＭＸアドレスのスタートアドレスの再設定を行う。
【００９７】
ＤＭＸアドレスのスタートアドレスの再設定が行われるか、再設定の必要がない場合（Ｓ３でＮＯ）、プロセッサ７０１は、ステップＳ５として、照明器具４０の位置検出を行う。この位置検出処理も、第１の実施形態と略同様である。すなわちプロセッサ７０１は、照明器具テーブル８０に登録されたＤＭＸアドレスのうちいずれか１つのアドレスが割り当てられた照明器具４０に対して点灯を制御する制御信号を生成する。そしてプロセッサ７０１は、この制御信号を、ノードインターフェース７０５を介して送信する。
【００９８】
この制御信号は、ＤＭＸノード３２の作用によりＤＭＸ信号に変換されて、各照明器具４０に配信される。したがって、照明システム２００では、各バトン３０１にそれぞれ接続された照明器具４０のうち、いずれか１つの照明器具４０が点灯動作する。
【００９９】
点灯動作する照明器具４０に対しては、電源５０から電源ライン３８及び電源ケーブル４２を介して電流が流れる。したがって、点灯動作した照明器具４０の電源ケーブル４２が接続された差込口３５２に対応する電流計測部３６において、電流信号が計測される。その結果、電流信号を検出した電流計測部３６を含むバトン３０１の位置検出部３４において、照明器具４０の設置位置情報が検出される。そして、この設置位置情報が、そのバトン３０１のバトン制御部３１に通知される。
【０１００】
制御信号を送信した全体制御部７０のプロセッサ７０１は、ハブ２０を介して接続される各バトン３０１のバトン制御部３１を監視する。そして位置検出部３４から設置位置情報の通知を受けたバトン制御部３１を検出すると、プロセッサ７０１は、そのバトン制御部３１からバトンＩＤと設置位置情報とを取得する。しかして、プロセッサ７０１は、バトン制御部３１から取得したバトンＩＤと設置位置情報とを照明器具テーブル８０に登録する。このとき、プロセッサ７０１は、点灯を制御した照明器具４０のＤＭＸアドレスのスタートアドレスに関連付けてバトンＩＤと設置位置情報とを登録する。
【０１０１】
プロセッサ７０１は、照明器具テーブル８０に登録された各ＤＭＸアドレスのスタートアドレスについて個別に点灯を制御する制御信号を生成する。そしてプロセッサ７０１は、この制御信号をＤＭＸノード３２に送信して、バトン制御部３１から取得したバトンＩＤと設置位置情報とを照明器具テーブル８０に登録する処理を繰り返し実行する。
【０１０２】
プロセッサ７０１は、ステップＳ６として、照明器具テーブル８０に保存された全てのレコードにバトンＩＤと設置位置情報とが登録されたか確認する。登録された場合（Ｓ６でＹＥＳ）、プロセッサ３１１は、ステップＳ７として、各バトン３０１のそれぞれの接続部５５の表示器３５３に対し、その接続部５５に対応した照明器具４０のＤＭＸアドレスのスタートアドレスを表示させる。
【０１０３】
具体的にはプロセッサ３１１は、照明器具テーブル８０に登録されたＤＭＸアドレスのスタートアドレス、バトンＩＤ及び設置位置情報を含む表示制御データを各バトン３０１のバトン制御部３１に送信する。バトン制御部３１は、表示制御データを解析して自らのバトンＩＤが設定されたＤＭＸアドレスのスタートアドレスと設置位置情報との対データを検出する。そしてバトン制御部３１は、設置位置情報で特定される電流計測部３６に対応した接続部３５の表示器３５３に、その設置位置情報と対になったＤＭＸアドレスのスタートアドレスを表示させる。
【０１０４】
このように、複数の照明器具４０がカスケード接続される複数のバトン３０１を備えた照明システム２００においても、全体制御部７０の機能により、全ての照明器具４０のＤＭＸアドレスのスタートアドレスに関連付けて、当該照明器具４０が接続されたバトン３０１のバトンＩＤと設置位置情報とが照明器具テーブル８０に登録される。
【０１０５】
したがって照明システム２００は、調光卓１０から全体制御部７０にバトンＩＤと照明器具４０の設置位置情報を問い合わせて、全体制御部７０によりバトンＩＤと照明器具４０の設置位置情報の応答を調光卓１０が受け取ることで、調光卓１０の操作により、バトンＩＤと照明器具４０の設置位置情報を把握した上でバトン３０１に接続された各照明器具４０の調光を制御することができる。具体的には、調光卓１０が前もって取得した照明器具４０のＵＩＤを元に、全体制御部７０にバトンＩＤと照明器具４０の設置位置情報を問い合わせる。そして、全体制御部７０は、照明器具テーブル８０を参照し、ＵＩＤに対応したバトンＩＤと設置位置情報を抽出し、バトンＩＤと設置位置情報を調光卓１０に送付する。かくして、調光卓１０は前もって取得した照明器具４０のＵＩＤを元に、バトンＩＤと照明器具の設置位置情報を取得することができる。このため、調光卓１０の操作により、バトンＩＤと照明器具４０の設置位置情報を把握した上で各バトン３０１に接続された各照明器具４０の調光を制御することができる。
【０１０６】
かくして第３の実施形態においても、照明器具のカスケード接続に対応し得る照明システム２００及びこのシステム２００で用いられるバトン３０１を提供することができる。
【０１０７】
しかも、バトン３０１に着眼すると、第１，第２の実施形態のバトン３０，３００と比べた場合にＤＭＸノード３２を含まない。ＤＭＸノード３２は、バトン３０１の外部にある。なおかつ、第２の通信ポートの数（本実施形態では４）のバトン３０１までは、１つのＤＭＸノード３２で兼用できる。このため、システム全体のコストを低減できる効果を奏する。
【０１０８】
なお、第３の実施形態の照明システム２００では、ハブ２０とＤＭＸノード３２との間に全体制御部７０を介在させたが、ハブ２０とＤＭＸノード３２とを直接接続し、全体制御部７０は、調光卓１０と並列になるようにハブ２０に接続してもよい。
【０１０９】
この発明は、前記各実施形態そのままに限定されるものではなく、実施段階ではその要旨を逸脱しない範囲で構成要素を変形して具体化できる。  
例えば、位置検出部３４において、点灯動作時の電流信号を計測した電流計測部３６の情報と未点灯動作時の電流信号を計測した電流計測部３６の情報から、バトン３０に接続された照明器具４０の設置位置情報が検出されるとしてもよい。
【０１１０】
また例えば、照明器具テーブル６０、８０を調光卓１０に搭載し、全体制御部７０やバトン制御部３１が行っている各照明器具４０の情報の取得、回収した各照明器具４０の情報の照明器具テーブル６０、８０への登録、各照明器具４０の設置位置情報の取得及び、設置位置情報の照明器具テーブル６０、８０への登録を調光卓１０が行えるとしてもよい。すなわち、問合せ信号の送信及び応答信号の受信を行う通信部と、上記通信部で受信した応答信号から問合せ信号送信先の照明器具４０の識別情報（ＵＩＤ）と器具情報とを取得し、これらの識別情報（ＵＩＤ）及び器具情報と位置検出部３４で検出された照明器具４０の設置位置情報とを関連付けて記憶部である照明器具テーブル６０、８０に登録する制御部とを、調光卓１０が備えた照明システムであってもよい。
【０１１１】
さらに例えば、通信プロトコルは前記実施形態のものに限定されるものではなく、本発明が意図する機能を果たすことができるのであれば、他のプロトコルを使用してもよい。
【０１１２】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。  
以下に、本願出願の当初の特許請求の範囲に記載された発明を付記する。  
［１］識別情報と器具情報とを有するとともに所定の問合せ信号を受信すると応答信号を出力する複数の照明器具の電源ケーブルがそれぞれ接続される複数の接続部と、前記複数の接続部にそれぞれ対応して設けられ、その対応する前記接続部に接続された前記照明器具に流れる電流を計測する複数の電流計測部と、前記電流が計測された前記電流計測部の情報から、その前記電流計測部に対応する前記接続部に接続された前記照明器具の位置情報を検出する位置検出部と、を具備する照明用バトン。
［２］前記複数の接続部のうち少なくとも１つの接続部は、前記照明器具の通信ケーブルが接続される差込口を備え、前記複数の接続部にそれぞれ前記電源ケーブルが接続される前記複数の照明器具のうち少なくとも１台は前記通信ケーブルを前記差込口に接続し、他の前記照明器具は、前記差込口に前記通信ケーブルを接続した前記照明器具に前記通信ケーブルを接続する、付記［１］記載の照明用バトン。
［３］前記問合せ信号の送信及び前記応答信号の受信を行う通信部と、前記通信部で受信した前記応答信号から前記問合せ信号送信先の前記照明器具の前記識別情報と器具情報とを取得し、これらの前記識別情報及び器具情報と前記位置検出部で検出された前記照明器具の位置情報とを関連付けて記憶部に登録する制御部と、をさらに具備する付記［２］記載の照明用バトン。
［４］付記［１］乃至［３］のうちいずれか１に記載の照明用バトンと、前記照明用バトンに接続された前記照明器具の調光を制御する調光卓と、を具備する照明システム。
［５］付記［１］に記載の照明用バトンと、前記問合せ信号の送信及び前記応答信号の受信を行う通信部、及び、前記通信部で受信した前記応答信号から前記問合せ信号送信先の前記照明器具の前記識別情報と前記器具情報とを取得し、前記識別情報及び前記器具情報と前記位置検出部で検出された前記照明器具の位置情報とを関連付けて記憶部に登録する制御部を備えた制御装置と、前記照明用バトンに接続された前記照明器具の調光を制御する調光卓と、を具備する照明システム。
［６］識別情報と器具情報とを有するとともに所定の問合せ信号を受信すると応答信号を出力する複数の照明器具の電源ケーブルがそれぞれ接続される複数の接続部、前記複数の接続部にそれぞれ対応して設けられ、その対応する前記接続部に接続された前記照明器具に流れる電流を計測する複数の電流計測部、及び、前記電流が計測された前記電流計測部の情報からその前記電流計測部に対応する前記接続部に接続された前記照明器具の位置情報を検出する位置検出部、を備えた照明用バトンと、前記問合せ信号の送信及び前記応答信号の受信を行う通信部、及び、前記通信部で受信した前記応答信号から前記問合せ信号送信先の前記照明器具の前記識別情報と器具情報とを取得し、これらの前記識別情報及び器具情報と前記位置検出部で検出された前記照明器具の位置情報とを関連付けて記憶部に登録する制御部、を備え、前記照明用バトンに接続された前記照明器具の調光を制御する調光卓と、を具備したことを特徴とする照明システム。
【符号の説明】
【０１１３】
１０…調光卓、２０…ハブ、３０，３００，３０１…バトン（照明用バトン）、３１…バトン制御部、３２…ＤＭＸノード、３３…表示器インターフェース、３４…位置検出部、３５，４５，５５…接続部、３６…電流計測部、４０…照明器具、５０…電源、６０，８０…照明器具テーブル、７０…全体制御部。
【図１】
0006575150.tif 000002
【図２】
0006575150.tif 000003
【図３】
0006575150.tif 000004
【図４】
0006575150.tif 000005
【図５】
0006575150.tif 000006
【図６】
0006575150.tif 000007
【図７】
0006575150.tif 000008
【図８】
0006575150.tif 000009